(57)【要約】      （修正有）【課題】写真、絵画等の張り替えが可能であり、写真、絵画等が薄くて破れやすい場合でも容易に貼り付けることが可能なパネル用の台紙を提供する。【解決手段】台紙本体と、該台紙本体の少なくとも一方の面に形成した吸着層と、吸着層に剥離自在に貼着した剥離紙と、を具備した、写真、絵画等を着脱自在に貼着した状態でパネル内に額装するためのパネル用台紙であって、吸着層は、弱粘着性を有するインクによって、スクリーン印刷の手法によって、前記台紙本体に多数個の吸盤体５を印刷することで形成されたことを特徴としており、これにより、吸盤の吸引力によって各種の写真、絵画等を台紙に貼り付けることを可能にしているとともに、吸盤体を弱粘着性のインクにより形成しているために、吸盤体の吸引力を用いることなく、柔らかく破れやすいものも貼着可能である。【選択図】図１
0003155542.tif 000002
【実用新案登録請求の範囲】
【請求項１】
台紙本体（２）と、
該台紙本体（２）における少なくとも一方の面に形成した吸着層（３）と、
該吸着層（３）に剥離自在に貼着した剥離紙（４）と、を具備した、写真、絵画等を着脱自在に貼着した状態でパネル内に額装するためのパネル用台紙であって、
前記吸着層（３）は、弱粘着性を有するインクによって、前記台紙本体（２）に多数個の吸盤体（５）を印刷することで形成されたことを特徴とするパネル用台紙。
【請求項２】
前記吸盤体（５）をスクリーン印刷により形成したことを特徴とする請求項１に記載のパネル用台紙。
【考案の詳細な説明】
【技術分野】
【０００１】
本考案は写真、絵画等を着脱自在に貼着可能なパネル用台紙に係り、より詳しくは、少なくとも台紙本体における一方の面任意の箇所に多数個の吸盤を印刷し、これにより吸盤の吸着力で写真、絵画等を着脱自在に貼着可能としたことを特徴とするパネル用台紙に関する。
【背景技術】
【０００２】
従来から、写真や絵画等をパネルに額装して飾ることが行なわれているが、このとき、単にパネルに写真、絵画等を額装したのみでは、特に梅雨時などは、この写真、絵画等が水分を吸収し、その結果、しわがよってしまい、見栄えが悪くなってしまうことがある。
【０００３】
一方、これを防止するためにはパネルを飾っている部屋の中を一定の湿度に保つ必要があるが、かかる場合には空調設備の完備等のために費用がかかるという問題点が考えられる。
【０００４】
そこで、従来から、このような問題点を解決するために、ボール紙等の厚紙により構成される裏張り用の台紙を用いて、写真、絵画等を一旦、接着剤によりこの台紙に貼り付け、そのうえで、この台紙をパネルに額装することが行なわれており、これによれば、写真、絵画等が厚い台紙等と一体となるため、特に部屋等の湿度を一定に保つことなく、梅雨時等でも、写真、絵画等にしわがよることを有効に防止することが可能である。
【０００５】
しかしながら、このように、接着剤を用いて台紙に写真、絵画等を貼り付ける方法では、一度台紙に貼り付けた後はそれを取り外すことができないため、台紙は１回のみしか使用できないという問題点があり、また、台紙に写真、絵画等を貼り付けてしまうとこれを取り外すことができないために、貼り付けの際には、位置がずれないように細心の注意を払わなければならなかった。
【０００６】
そのため、本考案者は、過去において、これらの問題点を解決するために、台紙本体における少なくとも一方の面の任意の箇所に多数の吸盤を印刷した台紙を提案した。
【０００７】
即ち、この台紙では、台紙本体に印刷した吸盤の吸着力を用いて、台紙に写真、絵画等を貼りつけることを可能としているので、接着剤等を用いることなく、台紙表面に写真、絵画等を貼り付けることが可能であるために、何度でも写真等の着脱を繰り返すことが可能である。
【先行技術文献】
【特許文献】
【０００８】
【特許文献１】実用新案登録第３０８８０７３号公報
【考案の概要】
【考案が解決しようとする課題】
【０００９】
しかしながら、台紙本体に吸盤を備えて、この吸盤の吸引力によって各種の写真、絵画等を台紙に貼り付けることとした場合において、写真、絵画等が薄くて破れやすい場合には、吸盤に吸着させることが困難であるのみならず、強引に吸盤に吸着さいた場合にはこれらの写真、絵画等が破れてしまうことも容易に考えることができる。
【００１０】
その一方、前述したように、接着剤を用いた場合には、一度貼着した後にはその貼着した写真、絵画等を取り外すことができないために、繰り返し使用することができないという問題点がある。
【００１１】
そこで、本考案は、写真、絵画等の張り替えが可能であり、何度でも使用できるとともに、写真、絵画等を貼り付ける際にも細心の注意を払う必要がなく、更に、写真、絵画等が薄くて破れやすい場合でも容易に貼り付けることが可能なパネル用の台紙を提供することを課題としている。
【課題を解決するための手段】
【００１２】
本考案のパネル用台紙は、
台紙本体と、
該台紙本体における少なくとも一方の面に形成した吸着層と、
該吸着層に剥離自在に貼着した剥離紙と、を具備した、写真、絵画等を着脱自在に貼着した状態でパネル内に額装するためのパネル用台紙であって、
前記吸着層は、弱粘着性を有するインクによって、前記台紙本体に多数個の吸盤体を印刷することで形成されたことを特徴としている。
【考案の効果】
【００１３】
本考案のパネル用台紙では、台紙本体の少なくとも一方の面に、多数個の吸盤体を印刷した吸着層を有しており、これにより、吸盤の吸引力によって各種の写真、絵画等を台紙に着脱自在に貼着可能としている。
【００１４】
そのため、写真、絵画等を貼着する際にはその写真、絵画等をパネル用台紙に強く押し付けるのみでよく、接着剤等を用いることなく、パネル用台紙に写真、絵画等を貼り付けることが可能であるとともに、吸盤の吸着力により写真、絵画等を台紙に保持するため、何度でも着脱を繰り返すことが可能である。
【００１５】
従って、本考案のパネル用台紙では、異なった写真、絵画等の貼り付けを繰り返し行うことができるとともに、着脱が容易であるために、貼り付けの際にも細心の注意を払う必要が無くなった。
【００１６】
また、前記吸盤体は、弱粘着性のインクにより印刷しており、それにより吸盤体に弱粘着性を持たせているために、パネル用台紙に貼り付ける写真、絵画等が薄くて破れやすいシート等であった場合には、吸盤体の吸引力を用いることなく、吸盤体に接触させることのみで吸盤体の粘着力で吸盤体に貼着することができるので、薄くて破れやすいものでも容易に貼着することができる。
【図面の簡単な説明】
【００１７】
【図１】本考案のパネル用台紙の実施例の斜視図である。
【図２】本考案のパネル用台紙の実施例の構造を示す断面図である。
【図３】本考案のパネル用台紙の実施例における吸盤体を説明するための図であり斜視を示している。
【図４】本考案のパネル用台紙の実施例における吸盤体を説明するための図でありボード本体に形成した状態の断面を示している。
【考案を実施するための形態】
【００１８】
本考案のパネル用台紙では、例えば塩ビ、ＰＥＴ、ＰＰ等の樹脂やその他の素材により構成される平板状で一定の厚みを有する台紙本体を備えており、この台紙本体における少なくとも一方の面の任意の箇所には、吸着層が形成されている。
【００１９】
そして、この吸着層は、吸盤性能を発揮可能な形状とした吸盤体を多数個、台紙本体に印刷することで形成されており、この吸盤体の吸引力により、台紙本体に、各種の写真、絵画等を貼着可能としている。
【００２０】
また、前記吸盤体を印刷するためのインクとしては、弱粘着性のインクを用いており、これにより、吸盤体は弱粘着性を有しており、吸盤体の吸引力で吸引した場合には破れてしまうような薄い写真、絵画等の場合には、吸盤体の粘着力により台紙に貼着可能としている。
【００２１】
そして、本考案においては、前記吸盤体を、台紙本体上にスクリーン印刷を施して形成しており、これにより、容易に多数個の小径の吸盤体を形成することを可能としている。
【実施例１】
【００２２】
本考案のパネル用台紙の実施例について図面を参照して説明すると、図１は、本実施例のパネル用台紙の平面図であり、また図２は本実施例のパネル用台紙の構造を説明するための断面図であり、図において１が本実施例のパネル用台紙である。
【００２３】
そして、本実施例におけるパネル用台紙１では、台紙本体を備えており、即ち、図において２が台紙本体であり、この台紙本体２は、塩ビ、ＰＥＴ、あるいはＰＰ等の樹脂により形成された平板状物としている。なお、前記台紙本体２の厚みは特に限定はされないが、パネル内に挿装して額装可能であるとともに、湿気等の影響によりしわが寄ってしまうことのない程度の厚みにするとよい。
【００２４】
次に、図において３は吸着層である。即ち、本実施例におけるパネル用台紙１では、前記台紙本体２の表面に吸着層３を形成しており、この吸着層３に写真、絵画等を貼着可能としている。
【００２５】
ここで、前記吸着層３について説明すると、本実施例において前記吸着層３は、前記台紙本体２の表面に、多数個の吸盤体を印刷することで形成されている。
【００２６】
即ち、図において５が吸盤体であり、本考案において前記吸盤体５は、吸盤としての性能を発揮可能な形状であればいずれの形態としてもよく、本実施例において前記吸盤体５は、図３及び図４に示されているように、高さが短いとともに径の小さい円筒形状の形態としている。即ち、図３は本実施例における吸盤体５の斜視図であり、図４は、台紙本体２の表面に形成した状態の吸盤体５を台紙本体２とともに断面で示した図である。
【００２７】
そして、本実施例においては、この吸盤体５を多数個、弱粘着性のインクによって、かつ、シルクスクリーン印刷の手法を用いて、前記ボード本体２の表面に印刷している。
【００２８】
そのため、本実施例においては、前記吸盤体５の上方を閉鎖するようにして写真、絵画等を吸盤体５に強く押し付けると、押し付けた写真、絵画等の押圧力によって吸盤体５の側壁が外側に広がっていくとともに吸盤体５内の空気が排出されて吸盤体５内が負圧になり、それによって、吸盤体５の上方を閉鎖している写真、絵画等を吸引して吸着させることが可能である。
【００２９】
従って、本実施例のパネル用台紙１では、マグネット、画鋲等を用いることなく、パネル用台紙１に、所望する各種の写真、絵画等を貼着することが可能であるとともに、貼りつけた写真、絵画等をめくり取ることのみで取り外すことができるために、繰り返し使用することも可能である。
【００３０】
また、本実施例において前記吸盤体５は、弱粘着性のインクによって印刷しているために、吸盤体５自体が弱粘着性を有している。そのため、この吸盤体５に写真、絵画等を接触させるのみで、吸盤体５の粘着力により、接触させた写真、絵画等を吸盤体５に吸着させることができる。
【００３１】
従って、本実施例のパネル用台紙における吸着層３では、薄くて破れやすく、吸盤体５に押し付けると破れてしまう写真、絵画等の場合でも、吸盤体５に接触させることのみでパネル用台紙１に貼り付けることができるために、単に吸盤体を備えた台紙の場合には貼着することが困難であった物でも、容易に貼着することが可能である。
【００３２】
また、本考案では、吸盤体５自体を弱粘着性のインクによって印刷しているため、前記吸盤体を形成した面に更に弱粘着性の接着剤による接着層を形成した場合（実用新案登録第３０８８０７３号公報参照）と異なり、１工程で弱粘着性を有する吸盤体５を得ることができるという利点もある。
【００３３】
そしてこのとき、本実施例では、前記吸着層３をシルクスクリーン印刷の手法によって印刷形成しているため、容易に吸着層３を形成することが可能である。
【００３４】
なお、吸盤体５を印刷する面は、必ずしも台紙本体２における一方の面に限定する必要は無く、台紙本体２の両面に吸盤を印刷してもよい。更に、吸盤を印刷する箇所も特に限定はされず任意である。
【００３５】
次に、図において４は剥離紙である。即ち本実施例のパネル用台紙１では、前記吸着３の表面に剥離紙４を剥離自在に貼着しており、これにより、使用しない場合に、ゴミ等が吸盤体５に吸着してしまうことを防止している。
【００３６】
次に、このように構成される本実施例のパネル用台紙１の使用方法について説明すると、本実施例のパネル用台紙１を用いて写真、絵画等をパネル内に挿装して額装する場合には、剥離紙４を剥離して吸着層３を露出させた後に、この露出させた吸着層３に所望する写真、絵画等を重ね合わすとともに、この重ね合わした写真、絵画等をパネル用台紙１側に押圧する。
【００３７】
そうすると、前述のように、吸盤体３の吸引力により、写真、絵画等が台紙本体２における吸着層３に吸着されて、これにより写真、絵画等をパネル用台紙１に貼り付けることができ、その後は、この写真、絵画等を貼り付けたパネル用台紙１をパネル内に挿装することで、パネルに写真、絵画等を額装することができる。
【００３８】
そしてこのとき、本実施例のパネル用台紙１では、一定の厚みを有する台紙本体２に写真、絵画等を貼りつけているために、梅雨等の湿気の多い場合でも、その湿気の影響で写真、絵画等にしわがよることを防止することができる。
【００３９】
また、吸盤体の吸着力により写真、絵画等を台紙本体２に貼り付けており、はがすのみで写真、絵画等を台紙から取り外すことができるため、写真、絵画等の着脱が自在であり、台紙を何度でも使用することができる。
【００４０】
更に、写真、絵画等が薄くて破れやすい場合には、これらを吸盤体５に軽く接触させるのみでよく、それにより、吸盤体５の粘着力により、写真、絵画等を吸盤体５に接着することができるとともに、弱粘着性のインクであるために、容易に剥離することが可能である。
【００４１】
このように、本実施例のパネル用台紙１では、台紙本体２の表面に弱粘着性のインクにより、吸盤体５を多数個形成しているため、この吸盤体５に写真、絵画等を強く押しつけるのみで、パネル用台紙１に各種の写真、絵画等を貼りつけることができ、更に、貼りつけた写真、絵画等をめくり取ることのみでこれを剥がすことができる。
【００４２】
従って、本実施例のパネル用台紙１を用いることによって、パネルに額装する写真、絵画等の着脱を繰り返し行うことが可能であるとともに、その着脱を容易に行うことが可能となる。
【００４３】
また、吸盤体５を弱粘着性のインクで印刷形成しており、これにより吸盤体５に粘着力を付与しているために、貼り付ける写真、絵画等が薄くて破れやすい場合でも、これらを容易に貼り付けることができるとともに剥離することも可能である。
【００４４】
なお、吸盤体５の形態は必ずしも、高さが短いとともに径の小さい円筒形状の形態にする必要はなく、吸盤としての性能を発揮可能な形状であればいずれの形態としてもよい。
【００４５】
また、前述の実施例では台紙本体２を樹脂により構成されるものを説明したが、必ずしも樹脂により構成する必要は無く、少なくとも表面が平らで写真、絵画等を貼り付けることが可能なものであればいずれの素材でもよく、前述の樹脂のほかに、ガラス、石、アルミ、鉄、厚紙、あるいは木製等が考えられる。
【産業上の利用可能性】
【００４６】
本考案のパネル用台紙は、写真、絵画等をパネルに額装する際に、湿気等の影響で写真、絵画等にしわがよることを防止するために用いられるパネル用の台紙において、写真、絵画等の張り替えが可能であるとともに、写真、絵画等が破れやすい場合でも容易に貼り付けることを可能としているために、パネル等に額装するために用いられる台紙の全般に適用可能である。
【符号の説明】
【００４７】
１    パネル用台紙
２    台紙本体
３    吸着層
４    剥離紙
５    吸盤体
【図１】
0003155542.tif 000003
【図２】
0003155542.tif 000004
【図３】
0003155542.tif 000005
【図４】
0003155542.tif 000006